(57)【特許請求の範囲】
【請求項１】
一辺を取り出し口とする封筒本体を形成し、一方の封筒壁における取り出し口側の辺に折り部を介して封緘片が連接され、折り部から折り倒した前記封緘片とこの封緘片が相対する他方の封筒壁の取り出し口側の辺部とが貼着手段を介して貼り合わされて、前記取り出し口が封緘されている封筒であって、
前記折り部は弱化処理が施されて分離容易に形成され、前記一方の封筒壁の取り出し口に対応する部分から前記折り部側に離間した位置での内面に設けた取付手段によって前記折り部に沿って帯状の補強部材が取り付けられていて、
前記補強部材における前記取り出し口に対応する部分から封筒本体の前記折り部とは反対の端部側となる部分が、前記他方の封筒壁における封緘片が貼り合わされている側とは反対となる封筒内方側の面と前記一方の封筒壁の封筒内方側の面との間に位置していることを特徴とする封筒。
【請求項２】
上記補強部材は折り部側の辺部を上記一方の封筒壁の取り出し口側の内面に取り付けて捲り上げ可能に設けられ、上記封緘片を取り除いて開封したときの前記補強部材を他方の封筒壁の取り出し口側の辺部に被せることにより取り出し口を開閉可能に閉じる構成を備える請求項１に記載の封筒。
【請求項３】
上記一方の封筒壁の上記折り部側の部分での剛性が、上記封緘片の折り部側の部分での剛性より大とされている請求項１または２に記載の封筒。
【発明の詳細な説明】
【０００１】
【発明の属する技術分野】
本発明は封筒に関するものである。
【０００２】
【発明が解決しようとする課題】
近年、封筒においてはその素材を合成樹脂フィルムとし、封入物の全体、或いは封入物表面に記載された宛名情報などの一部分が外部から目視できるようにした封筒が多く流通している。そして、封筒の形態としては一辺の取り出し口を封緘片で覆う従来構造のものがある。即ち、紙材の封筒材料からなるものと同じように、二つのシートが対向して一辺を取り出し口とする封筒本体を形成し、一方のシートにおける取り出し口側の辺に折り部を介して封緘片を連接していて、折り倒した封緘片とこれに相対する他方のシートの取り出し口側の辺部とを貼着手段を介して貼り合わせている。
【０００３】
しかしながら、合成樹脂フィルムからなるシートを用いた上記ラッピングタイプの封筒においては、開封用にシール部に沿ってミシン目を一本加工しているが、その部分を引き裂いて開封する場合、素材である合成樹脂フィルムが伸びたりして裂き口が汚くなってしまうという問題がある。
一方、封筒材料を合成樹脂フィルムからなるシートにして封緘片を備えた形態の従来構造の封筒では、封入物を出し入れする取り出し口の形状が開封に際して崩れることはない。しかし、前記封緘片がその幅方向全体に亘る粘着剤を用いた貼着手段により他方のシート側に貼り合わされるようにしているため、封緘片を捲り上げると取り出し口の近くでこの貼着手段である粘着剤が露出した状態となり、封入物を取り出したり封筒本体に差し入れたりする際に封緘片側に位置している粘着剤にその封入物が貼り付き易く、開封後に封入物の出し入れに注意を要するという問題がある。
そこで、本発明は、合成樹脂フィルムなどを封筒材料とし、一辺開口型で封緘片を備える封筒において、取り出し口部分での開封を行なっても封緘片側の粘着剤が表出しないようにすることを課題とし、開封した封筒に封入物を出し入れする際の手間を無くして封入物の出し入れを容易に行なえるようにすることを目的とするものである。
【０００４】
【課題を解決するための手段】
本発明は上記課題を考慮してなされたもので、一辺を取り出し口とする封筒本体を形成し、一方の封筒壁における取り出し口側の辺に折り部を介して封緘片が連接され、折り部から折り倒した前記封緘片とこの封緘片が相対する他方の封筒壁の取り出し口側の辺部とが貼着手段を介して貼り合わされて、前記取り出し口が封緘されている封筒であって、
前記折り部は弱化処理が施されて分離容易に形成され、前記一方の封筒壁の取り出し口に対応する部分から前記折り部側に離間した位置での内面に設けた取付手段によって前記折り部に沿って帯状の補強部材が取り付けられていて、
前記補強部材における前記取り出し口に対応する部分から封筒本体の前記折り部とは反対の端部側となる部分が、前記他方の封筒壁における封緘片が貼り合わされている側とは反対となる封筒内方側の面と前記一方の封筒壁の封筒内方側の面との間に位置していることを特徴とする封筒を提供して、上記課題を解消するものである。
そして、上記発明において、上記補強部材は折り部側の辺部を上記一方の封筒壁の取り出し口側の内面に取り付けて捲り上げ可能に設けられ、上記封緘片を取り除いて開封したときの前記補強部材を他方の封筒壁の取り出し口側の辺部に被せることにより取り出し口を開閉可能に閉じる構成を備えるものとすることが良好である。
さらに、上記一方の封筒壁の上記折り部側の部分での剛性が、上記封緘片の折り部側の部分での剛性より大とされているものとすることが良好である。
【０００５】
【発明の実施の形態】
つぎに本発明を図１から図４に示す実施の形態に基づいて詳細に説明する。
図中１は封筒で、該封筒１は封筒材料を透明な合成樹脂フィルムからなるものとしており、連続した合成樹脂フィルムを折り込んで一方が封筒正面側、他方が封筒背面側となる二つの封筒壁２、３を対向させ（図１（ロ）参照）、相対する側辺相互をヒートシールなどして封着して一辺を取り出し口４とする封筒本体５を形成している。そして、一方の封筒壁２における取り出し口４側の辺に折り部６を介して封緘片７が連接され、折り部６から封緘片７を折り倒し、相対する他方の封筒壁３の取り出し口４側の辺部８とを貼着手段９を介して貼り合わせており、封入物Ａを配した状態で取り出し口４を封緘している。
【０００６】
上記構造の封筒１において封筒壁２と封緘片７との間の折り部６は筋押し、ミシン目穿設、熱劣化などの手法を用いた強度劣化処理が施されて易引き裂き可能に設けられている。このように折り部６を易引き裂き可能としているため、この折り部６の端部から後述するように裂けのきっかけを加えるようにすれば、裂け目が折り部６に沿って簡単に進むようになる。
【０００７】
また、上記一方の封筒壁２の取り出し口４側の内面には、前記折り部６に沿って帯状の補強部材１０が取り付けられている。この補強部材１０は可撓性を有して剛性のあるフィルムシートなどからなるものであり、図２に示されているようにこの補強部材１０の折り部６側の辺部１１を折り部６に揃えながら封筒壁２の取り出し口４に対応する部分から前記折り部６側に離間した位置での内面に粘着剤などの取付手段１２にて取り付けていて、自由端側から捲り上げ可能に設けられている。
このように折り部６に沿って補強部材１０が取り付けられているため、封筒壁２の折り部６側の部分での剛性が封緘片７の折り部６側の部分での剛性より高くなっている。よって、封緘片７の端部を封緘片の幅方向（長さ方向）に引っ張って引き剥ぐようにすれば、補強部材１０がガイドとなって折り部６に適正に応力を集中させながら切ることができるようになる。
そして、上述したように折り部６自体は易切り裂き可能に設けられているため、封緘片７の端部を捲り上げた際にもその折り部６での裂けを生じ易く、折り部６全体が易切り裂き可能に設けられていることと上記補強部材１０が存在することとがあいまって、裂け目が一層適正に進むようになり、簡単に封緘片７が封筒壁２から分断される（図３参照）。
なお、上記実施の例では補強部材１０を両面接着テープなどにて取り付けるようにしたが、取付手段１２はこれに限定されるものではなく、ヒートシールやホットメルト接着剤などを用いるようにしてもよい。
【０００８】
上記封緘片７を封筒壁３の取り出し口４側の辺部８に貼り付けるための貼着手段９は、図示されているように封緘片７の幅方向全長に亘って位置するようにしているものではなく、封緘片７の折り部６と直交する両端側とこの封緘片７が相対する辺部８の両端側の対面領域とは前記貼着手段９を設けない非貼着部１３を介して相対している。このように封緘片７と辺部８との端部側との対面領域それぞれが貼り合わされていないことから、封緘片７をその幅方向に向けて捲り上げする際の指掛けを行ない易くなっており、封緘片７の端部を容易に摘み持つことができる。よって、封緘片７を端部からその幅方向に引っ張りながら引き剥ぐ操作が簡単に行なえる（図２参照）。
【０００９】
図４は開封後の状態を示していて、上記補強部材１０の自由端側を捲り上げてから封筒壁３の取り出し口４側の辺部８に被せており、これによって取り出し口４を開閉可能に綴じている。このように補強部材１０にて取り出し口４を閉じることができるため、開封した後においても封筒本体内に封入物を配した状態で保持できるようになり、開封後の封筒を入れ物として再利用することができる。
【００１０】
【発明の効果】
以上説明した本発明により、開封に際して封緘片を剥ぎ取るようにするため、開封後は取り出し口近くに貼着手段が存在せず、封入物の出し入れが容易に行なえる。また、封緘片の剥ぎ取りが容易に行なえるとともに、裂け目が適正に折り部に沿って進んで開口縁の形状が崩れることがなく、開封後の形態も整ったものとなる。
また、折り部に沿って補強部材を設けているので、封緘片の引き剥ぎがより適正に行なえる。そして、その補強部材にて取り出し口を覆うようにすれば、開封後の封筒を封入物の入れ物などとして再利用でき、経済的であるなど、実用性に優れた効果を奏するものである。
【図面の簡単な説明】
【図１】本発明に係る封筒の一例を示すもので、（イ）は封緘片が位置する側から見た状態を示す説明図、（ロ）は断面を示す説明図である。
【図２】一例における開封操作を示す説明図である。
【図３】開封した封筒を示す説明図である。
【図４】補強部材にて出し入れ口を閉じた状態を断面で示す説明図である。
【符号の説明】
１…封筒
２、３…封筒壁
４…取り出し口
６…折り部
７…封緘片
９…貼着手段
１０…補強部材
１２…取付手段
１３…非貼着部
Ａ…封入物
【図１】
0004798739.tif 000002
【図２】
0004798739.tif 000003
【図３】
0004798739.tif 000004
【図４】
0004798739.tif 000005